(57)【要約】【課題】浴室をリラクゼーション空間として利用する為にミスト手段付きの浴室暖房乾燥機が普及し始めている。美容と健康を謳っているが、ミスト化される水についてより効果的な水を利用することが望まれている。【解決手段】電気分解水生成手段１１で電気分解されたアルカリ性の水と酸性の水を、片方噴霧手段１３例えば三方弁にてアルカリ性の水と酸性の水のどちらか片方のみを噴霧管１４を通過して、噴霧手段１５例えばノズルにて浴室２内へ、アルカリ性の水と酸性の水のどちらか片方のみをノズル噴霧し、ノズル噴霧により微細化された水滴、ミストで浴室内を満たし、美容と健康に良いミストサウナ空間を提供する。【選択図】図１
2009041781.tif 000002
【特許請求の範囲】
【請求項１】
浴室内を暖房する暖房手段と、浴室内を乾燥する乾燥手段と、浴室内に水を噴霧する噴霧手段と、市水を電気分解しアルカリ性の水と酸性の水を生成する電気分解水生成手段を備え、前記電気分解水生成手段により生成した電気分解水を前記噴霧手段により浴室内に噴霧し、浴室内を暖房あるいは／および乾燥あるいは／およびミストサウナ空間にする浴室暖房乾燥機。
【請求項２】
電気分解したアルカリ性の水と酸性の水のどちらか片方のみを噴霧する片方噴霧手段を備えたことを特徴とした請求項１記載の浴室暖房乾燥機。
【請求項３】
噴霧しなかった電気分解水を排水する排水手段を備えたことを特徴とした請求項１または２記載の浴室暖房乾燥機。
【請求項４】
電気分解したアルカリ性の水と酸性の水を噴霧するに当たり、どちらか片方の水を自動で切換えて噴霧する自動切換手段を備えたことを特徴とした請求項１から３何れかに記載の浴室暖房乾燥機。
【請求項５】
機体内の残留水に繁殖する菌を抑制する機体内菌抑制手段を備えたことを特徴とした請求項１から４の何れかに記載の浴室暖房乾燥機。
【請求項６】
生成する電気分解水のｐｈ値を調整するｐｈ調整手段を備えたことを特徴とした請求項２から５の何れかに記載の浴室暖房乾燥機。
【請求項７】
生成された電気分解水のｐｈ値を検知するｐｈ検知手段を備えたことを特徴とした請求項２から６の何れかに記載の浴室暖房乾燥機。
【請求項８】
ミストを浴室内の任意の方向に噴霧する任意方向噴霧手段を備えたことを特徴とした請求項２から７の何れかに記載の浴室暖房乾燥機。
【請求項９】
浴室内での入浴者の位置を検知する人検知手段を備えたことを特徴とした請求項２から８の何れかに記載の浴室暖房乾燥機。
【請求項１０】
長時間使用すると電気分解する能力が低下することを抑制する能力低下抑制手段を備えたことを特徴とした請求項２から９の何れかに記載の浴室暖房乾燥機。
【請求項１１】
長時間使用するとイオンのみ通過し水を通過させないイオン交換膜に付着する市水内に含まれる不純物を除去するイオン交換膜不純物除去制御を備えたことを特徴とした請求項１０記載の浴室暖房乾燥機。
【請求項１２】
長時間使用すると電気分解時に使用する電極に付着する市水内に含まれる不純物を除去する電極不純物除去制御を備えたことを特徴とした請求項１０または１１記載の浴室暖房乾燥機。
【発明の詳細な説明】
【技術分野】
【０００１】
本発明は浴室暖房乾燥機において、ミスト化する水に電気分解水を利用し、電気分解水を生成する手段を備えたミスト機能が付いた浴室暖房乾燥機に関するものである。
【背景技術】
【０００２】
近年、浴室をリラクゼーション空間として利用する為にミスト手段付きの浴室暖房乾燥機が普及し始めている。美容と健康を謳っているが、ミスト化される水についてより効果的な水を利用することが望まれている。
【０００３】
従来より、ミスト機能が付いた浴室暖房乾燥機において、ミスト化される水は市水をそのまま利用するか、または暖めてお湯としてから利用している。例えば、特許文献１参照。
【特許文献１】特開２００７−７５３７３号公報
【発明の開示】
【発明が解決しようとする課題】
【０００４】
このような従来のミスト機能が付いた浴室暖房乾燥機では、ミスト化される水を美容と健康に良い水の利用が望まれている。本発明は、このような従来の要望を解決するものであり、ミスト化される水自体が美容と健康に良い電気分解水を利用することができるミスト機能が付いた浴室暖房乾燥機を提供することを目的としている。
【０００５】
また、電気分解したアルカリ性の水と酸性の水を同時に噴霧すると噴霧時に電気融合してしまうという課題がある。本発明は、このような課題を解決するものであり、電気分解したアルカリ性の水と酸性の水のどちらか片方のみを噴霧することができるミスト機能が付いた浴室暖房乾燥機を提供することを目的としている。
【０００６】
また、噴霧しなかった電気分解水を処理する必要があるという課題がある。本発明は、このような課題を解決するものであり、噴霧しなかった電気分解水を排水することができるミスト機能が付いた浴室暖房乾燥機を提供することを目的としている。
【０００７】
また、電気分解したアルカリ性の水と酸性の水のどちらか片方のみを噴霧する切換を手動で行うことは非常に困難であるという課題がある。本発明は、このような課題を解決するものであり、電気分解したアルカリ性の水と酸性の水のどちらか片方の水を自動で切換えることができるミスト機能が付いた浴室暖房乾燥機を提供することを目的としている。
【０００８】
また、機体内に残留した水に菌が繁殖し衛生的に良くないという課題がある。本発明は、このような課題を解決するものであり、長時間使用しなかった場合、機器内の菌の繁殖を抑制することができるミスト機能が付いた浴室暖房乾燥機を提供することを目的としている。
【０００９】
また、より人体に適したｐｈ値の電気分解水を噴霧する必要があるという課題がある。本発明は、このような課題を解決するものであり、生成する電気分解水のｐｈ値を調整することができるミスト機能が付いた浴室暖房乾燥機を提供することを目的としている。
【００１０】
また、ｐｈ値の高い電気分解水は人体に良くないという課題がある。本発明は、このような課題を解決するものであり、生成された電気分解水のｐｈ値を検知することができるミスト機能が付いた浴室暖房乾燥機を提供することを目的としている。
【００１１】
また、ミストが浴室内全体に噴霧されないという課題がある。本発明は、このような課題を解決するものであり、ミストを浴室内の任意の方向に噴霧することができるミスト機能が付いた浴室暖房乾燥機を提供することを目的としている。
【００１２】
また、より効果的にミストを浴びると良いという課題がある。本発明は、このような課題を解決するものであり、ミスト化した電気分解水を入浴者に当てることができるミスト機能が付いた浴室暖房乾燥機を提供することを目的としている。
【００１３】
また、長時間使用すると電気分解する能力が低下するという課題がある。本発明は、このような課題を解決するものであり、電気分解する能力の低下を抑制することができるミスト機能が付いた浴室暖房乾燥機を提供することを目的としている。
【００１４】
また、長時間使用すると電気分解するために必要なイオン交換膜に不純物が付着するという課題がある。本発明は、このような課題を解決するものであり、イオン交換膜に付着した不純物を除去することができるミスト機能が付いた浴室暖房乾燥機を提供することを目的としている。
【００１５】
また、長時間使用すると電気分解するために必要な電極に不純物が付着するという課題がある。本発明は、このような課題を解決するものであり、電極に付着した不純物を除去することができるミスト機能が付いた浴室暖房乾燥機を提供することを目的としている。
【課題を解決するための手段】
【００１６】
本発明の浴室暖房乾燥機は、上記目標を達成するために、浴室内を暖房する暖房手段と、浴室内を乾燥する乾燥手段と、浴室内に水を噴霧する噴霧手段と、市水を電気分解しアルカリ性の水と酸性の水を生成する電気分解水生成手段を備え、前記電気分解水生成手段により生成した電気分解水を前記噴霧手段により浴室内に噴霧し、浴室内を暖房あるいは／および乾燥あるいは／およびミストサウナ空間にする浴室暖房乾燥機としたことを特徴とする。
【００１７】
そして、本発明によればミスト化される水自体が美容と健康に良い電気分解水を利用することができるミスト浴室暖房乾燥機が得られる。
【００１８】
また、電気分解したアルカリ性の水と酸性の水のどちらか片方のみを噴霧する片方噴霧手段を備えたことを特徴とする。
【００１９】
そして、本発明によれば電気分解したアルカリ性の水と酸性の水のどちらか片方のみを噴霧することができる浴室暖房乾燥機が得られる。
【００２０】
また、噴霧しなかった電気分解水を排水する排水手段を備えたことを特徴とする。そして、本発明によれば噴霧しなかった電気分解水を排水することができる浴室暖房乾燥機が得られる。
【００２１】
また、電気分解したアルカリ性の水と酸性の水を噴霧するに当たり、どちらか片方の水を自動で切換えて噴霧する自動切換手段を備えたことを特徴とする。そして、本発明によれば電気分解したアルカリ性の水と酸性の水のどちらか片方の水を自動で切換えることができる浴室暖房乾燥機が得られる。
【００２２】
また、機体内の残留水に繁殖する菌を抑制する機体内菌抑制手段を備えたことを特徴とする。そして、本発明によれば長時間使用しなかった場合、機器内の菌の繁殖を抑制することができる浴室暖房乾燥機が得られる。
【００２３】
また、生成する電気分解水のｐｈ値を調整するｐｈ調整手段を備えたことを特徴とする。そして、本発明によれば生成する電気分解水のｐｈ値を調整することができる浴室暖房乾燥機が得られる。
【００２４】
また、生成された電気分解水のｐｈ値を検知するｐｈ検知手段を備えたことを特徴とする。そして、本発明によれば生成された電気分解水のｐｈ値を検知することができる浴室暖房乾燥機が得られる。
【００２５】
また、ミストを浴室内の任意の方向に噴霧する任意方向噴霧手段を備えたことを特徴とする。そして、本発明によればミストを浴室内の任意の方向に噴霧することができる浴室暖房乾燥機が得られる。
【００２６】
また、浴室内での入浴者の位置を検知する人検知手段を備えたことを特徴とする。そして、本発明によればミスト化した電気分解水を入浴者に当てることができる浴室暖房乾燥機が得られる。
【００２７】
また、長時間使用すると電気分解する能力が低下することを抑制する能力低下抑制手段を備えたことを特徴とする。そして、本発明によれば電気分解する能力の低下を抑制することができる浴室暖房乾燥機が得られる。
【００２８】
また、長時間使用するとイオンのみ通過し水を通過させないイオン交換膜に付着する市水内に含まれる不純物を除去するイオン交換膜不純物除去制御を備えたことを特徴とする。そして、本発明によればイオン交換膜に付着した不純物を除去することができる浴室暖房乾燥機が得られる。
【００２９】
また、長時間使用すると電気分解時に使用する電極に付着する市水内に含まれる不純物を除去する電極不純物除去制御を備えたことを特徴とする。そして、本発明によれば電極に付着した不純物を除去することができる浴室暖房乾燥機が得られる。
【発明の効果】
【００３０】
本発明によれば、市水等の水を電気分解し、アルカリイオン還元水を生成させ、アルカリイオン還元水により、老化原因の一つの皮膚表面等の活性酸素を消去し、また、汚れを落とし清潔にする洗浄効果のあるアルカリ性の水と除菌効果があり弱酸性の肌に張りを持たせ肌に優しい酸性の水を生成する電気分解水生成手段を備えたことにより、美容と健康により良いミストサウナ空間を実現するという効果のあるミスト機能が付いた浴室暖房乾燥機を提供できる。
【００３１】
また、電気分解したアルカリ性の水と酸性の水のどちらか片方のみを噴霧する片方噴霧手段を備えたことにより、美容と健康により良いミストサウナ空間を実現するという効果のあるミスト機能が付いた浴室暖房乾燥機を提供できる。
【００３２】
また、噴霧しなかった電気分解水を排水する排水手段を備えたことにより、機体内に残留した電気分解水に繁殖する恐れのある菌を抑制することが出来るという効果のあるミスト機能が付いた浴室暖房乾燥機を提供できる。
【００３３】
また、電気分解したアルカリ性の水と酸性の水を噴霧するに当たり、どちらか片方の水を自動で切換えて噴霧する自動切換手段を備えたことにより、容易に両方の電気分解水ミストを体感できるという効果のあるミスト機能が付いた浴室暖房乾燥機を提供できる。
【００３４】
また、機体内の残留水に繁殖する菌を抑制する機体内菌抑制手段を備えたことにより、安全で衛生的なミストサウナ空間を実現できるという効果のあるミスト機能が付いた浴室暖房乾燥機を提供できる。
【００３５】
また、生成する電気分解水のｐｈ値を調整するｐｈ調整手段を備えたことにより、より人体に適したｐｈ値の電気分解水を噴霧し美容と健康によいミストサウナ空間を実現するという効果のあるミスト機能が付いた浴室暖房乾燥機を提供できる。
【００３６】
また、生成された電気分解水のｐｈ値を検知するｐｈ検知手段を備えたことにより、安全でより美容と健康に良いミストサウナ空間を実現するという効果のあるミスト機能が付いた浴室暖房乾燥機を提供できる。
【００３７】
また、ミストを浴室内の任意の方向に噴霧する任意方向噴霧手段を備えたことにより、浴室内全体が斑のないミストサウナ空間を実現するという効果のあるミスト機能が付いた浴室暖房乾燥機を提供できる。
【００３８】
また、浴室内での入浴者の位置を検知する人検知手段を備えたことにより、健康と美容の効果を増幅させるという効果のあるミスト機能が付いた浴室暖房乾燥機を提供できる。
【００３９】
また、長時間使用すると電気分解する能力が低下することを抑制する能力低下抑制手段を備えたことことにより、長時間使用しても電気分解する能力が低下せず、安定した性能を長時間発揮できるという効果のあるミスト機能が付いた浴室暖房乾燥機を提供できる。
【００４０】
また、長時間使用するとイオンのみ通過し水を通過させないイオン交換膜に付着する市水内に含まれる不純物を除去するイオン交換膜不純物除去制御を備えたことにより、長時間使用しても電気分解する能力が低下せず、安定した性能を長時間発揮できるという効果のあるミスト機能が付いた浴室暖房乾燥機を提供できる。
【００４１】
また、長時間使用すると電気分解時に使用する電極に付着する市水内に含まれる不純物を除去する電極不純物除去制御を備えたことにより、長時間使用しても電気分解する能力が低下せず、安定した性能を長時間発揮できるという効果のあるミスト機能が付いた浴室暖房乾燥機を提供できる。
【発明を実施するための最良の形態】
【００４２】
本発明の請求項１記載の発明は、浴室内を暖房する暖房手段と、浴室内を乾燥する乾燥手段と、浴室内に水を噴霧する噴霧手段と、市水を電気分解しアルカリ性の水と酸性の水を生成する電気分解水生成手段を備え、前記電気分解水生成手段により生成した電気分解水を前記噴霧手段により浴室内に噴霧し、浴室内を暖房あるいは／および乾燥あるいは／およびミストサウナ空間にする浴室暖房乾燥機としたことを特徴としたものであり、電気分解水をミスト化して浴室内をミストサウナ空間にするという作用を有する。
【００４３】
また、電気分解したアルカリ性の水と酸性の水のどちらか片方のみを噴霧する片方噴霧手段を備えたことを特徴としたものであり、アルカリ性の水と酸性の水のどちらか片方のみ噴霧できるという作用を有する。
【００４４】
また、噴霧しなかった電気分解水を排水する排水手段を備えたことを特徴としたものであり、噴霧しなかった電気分解水を排水できるという作用を有する。
【００４５】
また、電気分解したアルカリ性の水と酸性の水を噴霧するに当たり、どちらか片方の水を自動で切換えて噴霧する自動切換手段を備えたことを特徴としたものであり、アルカリ性の水と酸性の水のどちら水を噴霧するか自動で切換えできるという作用を有する。
【００４６】
また、機体内の残留水に繁殖する菌を抑制する為に機体内菌抑制制御を備えたことを特徴としたものであり、機体内の菌を抑制できるという作用を有する。
【００４７】
また、生成する電気分解水のｐｈ値を調整するｐｈ調整手段を備えたことを特徴としたものであり、生成する電気分解水のｐｈ値を調整できるという作用を有する。
【００４８】
また、生成された電気分解水のｐｈ値を検知するｐｈ検知手段を備えたことを特徴としたものであり、生成された電気分解水のｐｈ値を検知できるという作用を有する。
【００４９】
また、ミストを浴室内の任意の方向に噴霧する任意方向噴霧手段を備えたことを特徴としたものであり、ミストを浴室内全体に噴霧できるという作用を有する。
【００５０】
また、浴室内での入浴者の位置を検知する人検知手段を備えたことを特徴としたものであり、ミスト化した電気分解水を入浴者に当てることができるという作用を有する。
【００５１】
また、長時間使用すると電気分解する能力が低下することを抑制する能力低下抑制手段を備えたことを特徴としたものであり、電気分解する能力の低下を抑制できるという作用を有する。
【００５２】
また、長時間使用するとイオンのみ通過し水を通過させないイオン交換膜に付着する市水内に含まれる不純物を除去するイオン交換膜不純物除去制御を備えたことを特徴としたものであり、イオン交換膜に付着した不純物を除去できるという作用を有する。
【００５３】
また、長時間使用すると電気分解時に使用する電極に付着する市水内に含まれる不純物を除去する電極不純物除去制御を備えたことを特徴としたものであり、電極に付着した不純物を除去できるという作用を有する。
【００５４】
以下、本発明の実施の形態について図面を参照しながら説明する。
【００５５】
（実施の形態１）
以下、本発明の実施の形態１について図１及び図２を参照しながら説明する。図１は本発明に関わるミスト機能が付いた浴室暖房乾燥機および設置周辺の概略構成である。
【００５６】
図１に示すように、本発明の実施の形態１の浴室暖房乾燥機４は建物１の浴室２の天井裏３に設置され排気ダクト配管５が換気手段６例えばファンモータに接続されている。循環手段７例えばファンモータを動作させると浴室２内の空気を吸気口８より吸込み、加熱手段９例えばヒータまたは温水コイルを通過してから送風口１０より、浴室２内に循環される。給水管１２に接続された電気分解水生成手段１１へは市水が供給される。電気分解水生成手段１１で電気分解されたアルカリ性の水と酸性の水は、片方噴霧手段１３例えば三方弁にてアルカリ性の水と酸性の水のどちらか片方のみを噴霧管１４を通過して、噴霧手段１５例えばノズルにて浴室２内へ、アルカリ性の水と酸性の水のどちらか片方のみをノズル噴霧し、ノズル噴霧により微細化された水滴、ミストで浴室内を満たす。噴霧しなかった電気分解水は排水手段１６例えば電磁弁にて排水管１７を通過し排水される。各々の手段は制御手段１８により駆動及び停止を制御される。
【００５７】
図２は本発明に関わる電気分解水生成手段の概略構成である。市水を溜めるタンク１０１とプラス電極１０２とマイナス電極１０３とイオン交換膜１０４で構成され、給水口１０５より市水を入れプラス電極１０２とマイナス電極１０３間に電圧をかけることにより、プラス電極１０２側からイオン交換膜１０４を通して、市水中のカルシウムやマグネシウムやカリウム等のアルカリ成分が電気分解により、陽イオンの形でマイナス電極１０３側へ移動する。このときマイナス電極１０３側では水素ガスが発生し、水酸化物イオンが普通の水より多く含まれたものとなり、ｐｈが高くなってアルカリ性の水が生成される。一方、プラス電極１０２側では酸素ガスが発生するので水素イオンが多くなってｐｈが低くなって酸性の水が生成される。
【００５８】
換気運転は換気手段６を動作させ、浴室２内空気を吸気口８より吸い込んで排気ダクト配管５を通過して建物１の外へ排気する運転である。暖房運転は循環手段７と加熱手段９を動作させ、浴室２内空気を吸気口８より吸い込んで加熱手段９を通過させることにより空気を暖め、送風口１０より浴室２内に循環することにより浴室２内を暖める運転である。乾燥運転は換気手段６と循環手段７と加熱手段９を動作させ、浴室２内を暖めながら、浴室２内空気を排出することにより浴室２内を乾燥する運転である。また、ミストサウナ運転は循環手段７と加熱手段９を動作させ浴室２内を暖めながら、市水を給水管１２、電気分解水生成手段１１、片方噴霧手段１３、噴霧管１４及び噴霧手段１５を通過させ、浴室２内に、微細水滴、ミストを噴霧し浴室２内をミストサウナ空間にする運転である。
【００５９】
上記構成において、電気分解水生成手段１１を制御手段１８にて動作させることにより、電気分解水生成手段１１内でアルカリ性の水と酸性の水を生成し、片方噴霧手段１３にて片方の電気分解水を微細水滴化、ミスト化して、浴室２内に噴霧することができる。
【００６０】
また、長時間使用すると電気分解水生成手段１１内のイオン交換膜１０４には市水中の不純物が付着し目詰まりを起し電気分解する能力が低下する為、目安として１０日に１度市水を溜めるタンク１０１に電気分解をせずに水を通過させイオン交換膜１０４に付着した不純物を除去する制御を備え、また、長時間使用すると電気分解水生成手段１１内のプラス電極１０２及びマイナス電極１０３に付着する不純物は、プラスの電極１０２にはマイナスのイオン分解をする物質、マイナスの電極１０３にはプラスのイオン分解をする物質が付着する為、逆の電圧をかけることにより、各々の電極に付着した不純物を除去する制御を備えたミスト噴霧が可能な浴室暖房乾燥機４を提供することができる。
【００６１】
（実施の形態２）
以下、本発明の実施の形態２について図３を参照しながら説明する。実施の形態１と同一部分は同一番号を附し、詳細な説明を省略する。
【００６２】
図３に示すように、電気分解水生成手段１１で生成したアルカリ性の水と酸性の水を自動切換手段２０例えば三方弁の弁をモータで開閉できる機構と浴室２内で入浴者の手元で操作できる手元切換手段２１例えばワイヤレスリモコンが設けられた構成とする。
【００６３】
上記構成により、入浴者が簡単に手元切換手段２１により自動切換手段２０を動作できるミスト機能が付いた浴室暖房乾燥機４を提供できる。
【００６４】
（実施の形態３）
以下、本発明の実施の形態３について図４を参照しながら説明する。実施の形態１、２と同一部分は同一番号を附し、詳細な説明を省略する。図４に示すように、電気分解水生成手段１１内部に機体内菌抑制手段３０例えば紫外線ランプが設けられた構成とする。
【００６５】
上記構成により、電気分解水生成手段１１内部の残留水に繁殖する菌を抑制することができるミスト機能が付いた浴室暖房乾燥機４を提供できる。
【００６６】
（実施の形態４）
以下、本発明の実施の形態３について図５を参照しながら説明する。実施の形態１乃至３と同一部分は同一番号を附し、詳細な説明を省略する。図５に示すように、電気分解水生成手段１１内部にｐｈ調整手段４０例えばｐｈ調整電極及びｐｈ検知手段４１例えば水素イオン濃度を測定するｐｈ計が設けられた構成とする。
【００６７】
上記構成により、ｐｈ検知手段４１でｐｈ値を監視しながらｐｈ調整手段４０により調整することで、人体に適したｐｈ値が７±１の電気分解水を生成することができる、またｐｈ値が７±２以上になった場合排水することができるミスト機能が付いた浴室暖房乾燥機４を提供できる。
【００６８】
（実施の形態５）
以下、本発明の実施の形態３について図６を参照しながら説明する。実施の形態１乃至４と同一部分は同一番号を附し、詳細な説明を省略する。図６に示すように、噴霧手段１５を任意の方向に向けることができる任意方向噴霧手段５０例えばステッピングモータを２台使用して噴霧手段１５を水平及び垂直方向に動作できる構成のものと浴室内の人の位置を検知する人検知手段５１例えば人感センサが設けられた構成とする。
【００６９】
上記構成により、人検知手段５１により入浴者の位置を検知して任意方向噴霧手段５０を動作させ、入浴者の方向へミストを噴霧できるミスト機能が付いた浴室暖房乾燥機４を提供できる。
【００７０】
（実施の形態６）
以下、本発明の実施の形態３について図７を参照しながら説明する。実施の形態１乃至５と同一部分は同一番号を附し、詳細な説明を省略する。図７に示すように、電気分解水生成手段１１内部に能力低下抑制手段６０例えば水酸化化合物を徐々に添加することができる装置が設けられた構成とする。
【００７１】
上記構成により、ｐｈ調整手段４０を動作させてもｐｈ検知手段４１の値が変化しない場合、電気分解の能力が低下したと判断し能力低下抑制手段６０を動作させ電気分解の能力低下を抑制できるミスト機能が付いた浴室暖房乾燥機を提供できる。
【産業上の利用可能性】
【００７２】
本発明は浴室内空間での使用を目的として提供しているが、居住空間においても同様な効果が期待できる。
【図面の簡単な説明】
【００７３】
【図１】本発明の実施の形態１の浴室暖房乾燥機の構成を示す図
【図２】本発明の実施の形態１の電気分解水生成手段の構成を示す図
【図３】本発明の実施の形態２の浴室暖房乾燥機の構成を示す図
【図４】本発明の実施の形態３の浴室暖房乾燥機の構成を示す図
【図５】本発明の実施の形態４の浴室暖房乾燥機の構成を示す図
【図６】本発明の実施の形態５の浴室暖房乾燥機の構成を示す図
【図７】本発明の実施の形態６の浴室暖房乾燥機の構成を示す図
【符号の説明】
【００７４】
１      建物
２      浴室
３      天井裏
４      浴室暖房乾燥機
５      排気ダクト配管
６      換気手段
７      循環手段
８      吸気口
９      加熱手段
１０    送風口
１１    電気分解水生成手段
１２    給水管
１３    片方噴霧手段
１４    噴霧管
１５    噴霧手段
１６    排水手段
１７    排水管
１８    制御手段
２０    自動切換手段
２１    手元切換手段
３０    機体内菌抑制手段
４０    ｐｈ調整手段
４１    ｐｈ検知手段
５０    任意方向噴霧手段
５１    人検知手段
６０    能力低下抑制手段
１０１  タンク
１０２  プラス電極
１０３  マイナス電極
１０４  イオン交換膜
１０５  給水口
【図１】
2009041781.tif 000003
【図２】
2009041781.tif 000004
【図３】
2009041781.tif 000005
【図４】
2009041781.tif 000006
【図５】
2009041781.tif 000007
【図６】
2009041781.tif 000008
【図７】
2009041781.tif 000009